(57)【要約】【課題】従来にない遊技性を有する遊技機を提供する。【解決手段】壁部４４、４４同士が対向するように設けられた２つのスライド体４１Ａ、４１Ｂと、スライド体４１Ａ、４１Ｂ間に配された床体４２と、スライド体４１Ａ、４１Ｂをスライドさせる駆動機構部４３とを備えた通路幅変化役物４０が設けられており、スライド体４１Ａ、４１Ｂを夫々相反する方向へ周期的にスライドさせることで、壁部４４、４４及び床体４２で囲まれる遊技球通路の左右幅を遊技球が通過可能な範囲で周期的に変化させるようにした。【選択図】図４
2020062166.tif 000002
【特許請求の範囲】
【請求項１】
少なくとも対向する一対の壁と、前記壁間に配される床とを有する遊技球通路が備えられた可動遊技手段を設けてなる遊技機であって、
前記可動遊技手段として、駆動手段と、当該駆動手段の作動に応じて所定方向へスライドするスライド手段とが備えられており、
前記スライド手段の周期的なスライドに応じて、前記壁の少なくとも何れか一方が、他方の前記壁に対して近接／離隔する方向へスライドすることにより、前記遊技球通路の幅が、遊技球の通過を許容する範囲内で周期的に変化することを特徴とする遊技機。
【請求項２】
両前記壁が夫々相反する方向へスライドするとともに、前記床の上面が、前記壁のスライド方向での中央部分を頂点として外側へ向かい夫々下降傾斜する傾斜面とされていることを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、様々な態様で作動することで、遊技球の流下態様に影響を与える種々の可動遊技手段が備えられている（たとえば特許文献１）。
【先行技術文献】
【特許文献】
【０００３】
【特許文献１】特開２０１７−１９２４３９号公報
【発明の概要】
【発明が解決しようとする課題】
【０００４】
近年、従来にない態様で遊技球を流下させる等の新たな遊技性を有する遊技機が求められている。
【０００５】
そこで、本発明は、従来にない遊技性を有する遊技機を提供しようとするものである。
【課題を解決するための手段】
【０００６】
上記目的を達成するために、本発明のうち請求項１に記載の発明は、少なくとも対向する一対の壁と、前記壁間に配される床とを有する遊技球通路が備えられた可動遊技手段を設けてなる遊技機であって、前記可動遊技手段として、駆動手段と、当該駆動手段の作動に応じて所定方向へスライドするスライド手段とが備えられており、前記スライド手段の周期的なスライドに応じて、前記壁の少なくとも何れか一方が、他方の前記壁に対して近接／離隔する方向へスライドすることにより、前記遊技球通路の幅が、遊技球の通過を許容する範囲内で周期的に変化することを特徴とする。
請求項２に記載の発明は、請求項１に記載の発明において、両前記壁が夫々相反する方向へスライドするとともに、前記床の上面が、前記壁のスライド方向での中央部分を頂点として外側へ向かい夫々下降傾斜する傾斜面とされていることを特徴とする。
【発明の効果】
【０００７】
本発明によれば、可動遊技手段として、駆動手段と、当該駆動手段の作動に応じて所定方向へスライドするスライド手段とを備え、スライド手段の周期的なスライドに応じて、壁の少なくとも何れか一方が、他方の壁に対して近接／離隔する方向へスライドすることにより、遊技球通路の幅を、遊技球の通過を許容する範囲内で周期的に変化させるようにした。したがって、遊技球通路内を流下する遊技球を従来にない流下態様で流下させることができ、新たな遊技性を有する遊技機とすることができる。
また、請求項２に記載の発明によれば、両壁を夫々相反する方向へスライドさせるとともに、床の上面を、壁のスライド方向での中央部分を頂点として外側へ向かい夫々下降傾斜する傾斜面としているため、遊技球の流下態様が複雑となり、高い遊技性を有する遊技機とすることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】２つのスライド体が近接した状態にある通路幅変化役物を前側から示した説明図である。
【図５】２つのスライド体が離隔した状態にある通路幅変化役物を前側から示した説明図である。
【図６】センター部材の斜視説明図である。
【図７】２つのスライド体が近接した状態にある通路幅変化役物の駆動機構部を下側から示した斜視説明図である。
【図８】２つのスライド体が離隔した状態にある通路幅変化役物の駆動機構部を下側から示した斜視説明図である。
【図９】２つのスライド体が近接した状態における遊技球の流下態様を示した説明図である。
【図１０】２つのスライド体が離隔した状態における遊技球の流下態様を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の中央稍上寄りとなる位置には、「０」〜「９」の数字からなる装飾図柄やキャラクター等を表示するための演出用表示部６、演出用表示部６の下辺に沿って左右方向に延設されており、上面を遊技球が左右に転動可能な転動面８１、及び遊技領域１６内を流下する遊技球を転動面８１上へ導くためのワープ通路８２等を有する表示部材８０が設置されている。さらに、表示部材８０の下方で遊技領域１６の中央部から下部にかけて、遊技球が進入可能な進入口３１、進入口３１から左右に分岐しつつ下方へ延びる遊技球流路３２、遊技球流路３２の分岐部等に配される種々の電動役物、遊技球流路３２を流下する遊技球が最終的に到達するステージ７９、遊技球が入賞可能な非電動役物１９、遊技球が進入可能で、非電動役物１９を開動作させる契機となる作動口８５、及び非電動役物１９に入賞しなかった遊技球等を再び遊技領域１６内へ排出する排出口３０、３０（図６に示す））等を備えたセンター部材２６が設置されている。
【００１２】
また、表示部材８０及びセンター部材２６の左方には、遊技球が流下可能で、遊技球が入賞可能な入賞部材８４、８４が設置された左打ち用スペースＳＬが形成されており、この左打ち用スペースＳＬを流下させることで、ワープ通路８２への進入（すなわち、転動面８１上への誘導）や進入口３１への進入（すなわち、センター部材２６への進入）を効率良く狙えるようになっている。一方、表示部材８０及びセンター部材２６の右方にも遊技球が流下可能な右打ち用スペースＳＲが形成されている。この右打ち用スペースＳＲには、遊技球が通過可能なゲート部材２０、一対の可動片を有するチューリップ式電動役物１７、所謂大当たり状態において交互に開閉する２つの可動入賞装置１８Ａ、１８Ｂが設置されている。そして、遊技球を左打ち用スペースＳＬではなく右打ち用スペースＳＲを流下させることで、ゲート部材２０を通過させたり、開動作しているチューリップ式電動役物１７へ入賞させたり、開成している可動入賞装置１８Ａ、１８Ｂへ入賞させたりすることができるようになっている。
【００１３】
なお、左打ち用スペースＳＬや右打ち用スペースＳＲには、多数の遊技釘が植設されている。また、遊技領域１６外となる遊技盤２の右下部には、第１特別図柄及び第２特別図柄を夫々別個に表示可能とした特別図柄表示部８３が設けられている。さらに、遊技領域１６の下端位置には、遊技領域１６内へ打ち込まれた遊技球のうち、入賞部材へ入賞等することなく流下してきた遊技球を回収するためのアウト口３３が設けられている。
【００１４】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂左打ちを行い）、センター部材２６への遊技球の進入、すなわち進入口３１への進入を狙う。また、進入口３１からセンター部材２６内へ進入した遊技球は、遊技球通路３２により種々のルートに振り分けられながらも最終的にはステージ７９上に到達する。さらに、ステージ７９上に到達した遊技球が非電動役物１９へ入賞すると、所謂大当たり抽選が実行されるとともに、演出用表示部６において装飾図柄が、特別図柄表示部８３において第１特別図柄が夫々変動開始となる。そして、大当たり抽選の結果が「大当たり」であると、演出用表示部６及び特別図柄表示部８３に夫々所定の「大当たり図柄」が確定表示される（たとえば、演出用表示部６に「７、７」と確定表示される）。また、「大当たり図柄」が確定表示されると、可動入賞装置１８Ａ、１８Ｂを夫々１回ずつ開成させるといった所謂「大当たり状態」が生起する。そこで、遊技者は、遊技球を右打ち用スペースＳＲへ打ち込んで流下させる所謂右打ちを行い、開成する可動入賞装置１８Ａ、１８Ｂへの遊技球の入賞を狙う。なお、遊技球が非電動役物１９へ入賞したものの、大当たり抽選の結果が「はずれ」であると、演出用表示部６及び特別図柄表示部８３に夫々所定の「はずれ図柄」が確定表示され、大当たり状態が生起することはない。
【００１７】
また、大当たり状態が終了すると、ゲート部材２０への遊技球の通過検知に起因して実行される所謂当たり抽選の結果が「当たり」となりやすく、チューリップ式電動役物１７が頻繁に開状態となって遊技球の入賞が可能となるとともに、チューリップ式電動役物１７への入賞検知に起因して実行される大当たり抽選の結果が「大当たり」となりやすい所謂確変状態が生起する。そこで、遊技者は右打ちを継続し、ゲート部材２０への遊技球の通過、及び頻繁に開状態となるチューリップ式電動役物１７への遊技球の入賞を狙う。また、チューリップ式電動役物１７への遊技球の入賞に応じて実行された大当たり抽選の結果が「大当たり」になると、特別図柄表示部８３及び演出用表示部６に「大当たり図柄」が確定表示され、可動入賞装置１８Ａ、１８Ｂを夫々１回ずつ開成させる「大当たり状態」が再び生起する。なお、チューリップ式電動役物１７へ遊技球が入賞した場合、特別図柄表示部８３では第２特別図柄を変動／確定表示させる。
【００１８】
そして、最初の確変状態から繰り返される「大当たり図柄」での確定表示回数が所定回数（たとえば１０回）に達し、当該所定回数目の「大当たり図柄」の確定表示に伴い生起した「大当たり状態」が終了すると、確変状態を生起させることなく、ゲート部材２０への遊技球の通過検知に起因して実行される当たり抽選の結果が「当たり」となりにくく（或いは「当たり」とならず）、チューリップ式電動役物１７がほぼ開状態とならない（或いは開状態になることがない）上、大当たり抽選の結果が「大当たり」となりにくい遊技開始当初の通常状態へ復帰する。そのため、遊技者は、右打ちを止めて左打ちを行う上記遊技へと戻る。
【００１９】
さらに、センター部材２６内には、遊技球の流下態様に影響を及ぼす可動遊技手段として通路幅変化役物４０が設けられている。通路幅変化役物４０は、メイン制御装置による制御のもと、センター部材２６へ遊技球が進入した／しないや、遊技状態が通常状態／確変状態の何れであるか等に拘わらず、電源投入時から一定の動作パターンにしたがって常に動作している（たとえば、後述するモータ４７が一定周期で正回転と逆回転とを繰り返している）。そして、センター部材２６へ進入した遊技球が通路幅変化役物４０に到達すると、通路幅変化役物４０の動作状況に応じて、ステージ７９の中央を前方へ直進したり、左右外寄りを転動したりする。
【００２０】
（通路幅変化役物の説明）
ここで、本発明の要部となる通路幅変化役物４０について、図４〜図１０にもとづき詳細に説明する。
図４は、２つのスライド体４１Ａ、４１Ｂが近接した状態にある通路幅変化役物４０を前側から示した説明図である。図５は、２つのスライド体４１Ａ、４１Ｂが離隔した状態にある通路幅変化役物４０を前側から示した説明図である。図６は、センター部材２６の斜視説明図である。図７は、２つのスライド体４１Ａ、４１Ｂが近接した状態にある通路幅変化役物４０の駆動機構部４３を下側から示した斜視説明図である。図８は、２つのスライド体４１Ａ、４１Ｂが離隔した状態にある通路幅変化役物４０の駆動機構部４３を下側から示した斜視説明図である。図９は、２つのスライド体４１Ａ、４１Ｂが近接した状態における遊技球の流下態様を示した説明図である。図１０は、２つのスライド体４１Ａ、４１Ｂが離隔した状態における遊技球の流下態様を示した説明図である。
【００２１】
まず、通路幅変化役物４０の構造について説明する。
通路幅変化役物４０は、左右方向へスライドする一対のスライド体４１Ａ、４１Ｂと、スライド体４１Ａ、４１Ｂ間に配される床体４２と、スライド体４１Ａ、４１Ｂをスライドさせるための駆動機構部４３とを備え、スライド体４１Ａ、４１Ｂの対向面（壁部４４、４４の対向面）と床体４２の上面とで遊技球通路が形成されるようになっている。スライド体４１Ａ、４１Ｂは、それぞれ略垂直に起立する壁部４４と、魚の切り身を模した形状に成形された装飾部４５とを有し、壁部４４、４４同士が対向するように配されている。また、両スライド体４１Ａ、４１Ｂの前縁には、魚の鰭に似せられた突片４６が前方へ突設されている。
【００２２】
一方、駆動機構部４３は、略垂直方向を軸として回転するモータ４７と、モータ４７の回転に応じてモータ４７と平行な軸周りで回転するギア４８と、ギア４８の後側の部分に噛合しており、ギア４８の回転に応じて左右方向へスライドする第１のラック部材４９と、ギア４８の前側の部分に噛合しており、ギア４８の回転に応じて第１のラック部材４９とは左右で相反する方向へスライドする第２のラック部材５０とを有する。また、第１のラック部材４９はスライド体４１Ａの下面に、第２のラック部材５０はスライド体４１Ｂの下面に夫々連結されている。そして、モータ４７が上面視で時計回りに回転すると両スライド体４１Ａ、４１Ｂが近接し、反時計回りに回転すると両スライド体４１Ａ、４１Ｂが離隔するようになっている。なお、両スライド体４１Ａ、４１Ｂが近接している際、両スライド体４１Ａ、４１Ｂの壁部４４、４４同士の左右方向での間隔は、遊技球１個の直径と略同じとなる。すなわち、両スライド体４１Ａ、４１Ｂが最も近接している状態においても遊技球は通過可能となっている。一方、両スライド体４１Ａ、４１Ｂが離隔している際の左右方向での間隔は、遊技球１個の直径の略４倍程度となる。
【００２３】
さらに、駆動機構部４３（特にモータ４７やギア４８）の上方を覆うように床体４２が設けられており、スライド体４１Ａ、４１Ｂ同士の近接／離隔に拘わらず、床体４２の上面の一部が、スライド体４１Ａ、４１Ｂ間に露出するようになっている。また、床体４２の上面は、左右方向での中央部分を頂点として左右外側へ向かって夫々下降傾斜する傾斜面とされている。
【００２４】
次に、通路幅変化役物４０が設置されるステージ７９周辺の構造について説明する。
ステージ７９は、前方へむかって下降傾斜する傾斜面として構成され、ステージ７９の前縁に隣接した位置で、左右方向で略中央となる位置に非電動役物１９が設けられている。また、ステージ７９の前縁よりも前側には、カバー部材７８が設けられており、ステージ７９上から落球する遊技球を下方へ導くようになっている。
【００２５】
一方、ステージ７９の後縁には、上方へ垂直に起立する後壁７７が設けられているとともに、当該後壁７７の前方に隣接して上記通路幅変化役物４０が設置されている。通路幅変化役物４０は、床体４２の左右方向での中央部が非電動役物１９の真後ろに位置し、且つ、床体４２の上面がステージ７９の表面よりも高くなるように設置されている。なお、７６は、ステージ７９上に設けられ、床体４２の左右方向での中央部と同じ上下高さから前方へ延びる誘導路である。
【００２６】
また、通路幅変化役物４０の上方には、遊技球が通過可能な通路部材６０が設けられている。通路部材６０は、センター部材２６の左部に設けられた遊技球流路３２Ａと、右部に設けられた遊技球流路３２Ｂとを左右方向で繋ぐように配設されている。該通路部材６０は、床体４２の左右方向での中央部の直上となる位置が上下方向での高さが最も低くなっている（極端に言えば正面視Ｖ字状とされている）とともに、当該位置で通路部材６０の後壁が切り欠かれており、通路部材６０を流下する遊技球は極めて高い位置で当該箇所から通路幅変化役物４０へ、特にスライド体４１Ａ、４１Ｂと床体４２とで構成される遊技球通路上へ落球するようになっている。
【００２７】
ここで、上述したような通路幅変化役物４０へ遊技球が到達した際の遊技球の挙動に関して説明する。
通路部材６０を流下する遊技球が通路幅変化役物４０側へ落球した際、スライド体４１Ａ、４１Ｂが夫々離隔する方向へスライドしていたり、最も近接する状態まではまだ時間がかかるような状況であると、通路幅変化役物４０における遊技球通路の左右幅は、遊技球に対して十分広くなっている。そのため、遊技球通路内に落球した遊技球は、床体４２の上面が上記傾斜面となっていることもあり、遊技球通路内で左右にばたつきながら床体４２の左右外寄りからステージ７９上へ転がり出ることが多い（図１０）。したがって、遊技球が非電動役物１９へ入賞する確率は低いと言える。一方、通路部材６０を流下する遊技球が通路幅変化役物４０側へ落球した際、スライド体４１Ａ、４１Ｂが夫々近接する方向へスライドしており、最も近接した状態となるまでそれほど時間がかからないような状況であると、遊技球通路内へ落球した遊技球は、すぐに壁部４４、４４同士に挟まれる格好となって、床体４２の中央部分で落ち着き、そのまま誘導路７６を介してステージ７９中央へ転がり出ることが多い（図９）。したがって、遊技球が非電動役物１９へ入賞する確率が高くなる。なお、通路部材６０から通路幅変化役物４０側へ落球する遊技球は、必ずしも遊技球通路内に落球するわけではなく、たとえば装飾部４５上へ落ちるような状況も起こり得る。
【００２８】
（本実施形態のパチンコ機による効果）
以上のような構成を有するパチンコ機１によれば、壁部４４、４４同士が対向するように設けられた２つのスライド体４１Ａ、４１Ｂと、スライド体４１Ａ、４１Ｂ間に配された床体４２と、スライド体４１Ａ、４１Ｂをスライドさせる駆動機構部４３とを備えた通路幅変化役物４０が設けられており、スライド体４１Ａ、４１Ｂを夫々相反する方向へ周期的にスライドさせることで、壁部４４、４４及び床体４２で囲まれる遊技球通路の左右幅を遊技球が通過可能な範囲で周期的に変化させるようにした。したがって、従来にない態様で遊技球を流下させることができ、新たな遊技性を有するパチンコ機１とすることができる。
また、床体４２の上面を、左右方向での中央部分を頂点として左右外側へ向かい夫々下降傾斜する傾斜面としているため、遊技球の流下態様が複雑なものとなり、遊技性の高いパチンコ機１とすることができる。
【００２９】
（本発明の変更例について）
なお、本発明の遊技機に係る構成は、上記実施形態に何ら限定されるものではなく、遊技機全体の構成は勿論、可動遊技手段に係る構成等についても、本発明の趣旨を逸脱しない範囲で必要に応じて適宜変更可能である。
【００３０】
たとえば、上記実施形態では、可動遊技手段をセンター部材内に設けているが、ワープ通路として採用する等、センター部材外に設けることも可能であるし、１つの遊技機に複数の可動遊技手段を設けてもよい。
また、上記実施形態では、対向する一対の壁と床とにより遊技球通路を構成しているが、上面が閉塞された遊技球通路（所謂天井を有する遊技球通路）としても何ら問題はないし、どのように遊技球通路へ遊技球を送り込むか、すなわち可動遊技手段よりも上流側の構造に関し、上記通路部材に限定されないことは言うまでもない。
【００３１】
さらに、上記実施形態では、対向する一対の壁をどちらもスライド可能としているが、何れか一方のみを他方に対して近接／離隔するようにスライドさせるという構成を採用することも可能である。
さらにまた、床の上面を外側へ向かって傾斜する傾斜面とするのではなく、平坦面としてもよい。
またさらに、２つの壁をスライドさせるにあたりモータやソレノイド等を２つ設けたり、ラック部材ではなく、回転動作を直線動作に変換するカム等を利用したリンク機構によって壁をスライドさせる等、駆動手段やスライド手段の具体的な構成をどのようにするかについても適宜変更設計可能である。
【００３２】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、壁、床、遊技球通路、可動遊技手段、駆動手段、スライド手段等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３３】
１・・パチンコ機（遊技機）、１９・・非電動役物、４０・・通路幅変化役物（可動遊技手段）、４１Ａ、４１Ｂ・・スライド体（壁、スライド手段）、４２・・床体、４３・・駆動機構部、４４・・壁部、４５・・装飾部、４６・・突片、４７・・モータ（駆動手段）、４８・・ギア、４９、５０・・ラック部材（スライド手段）、６０・・通路部材、７６・・誘導路、７９・・ステージ、８５・・作動口。
【図１】
2020062166.tif 000003
【図２】
2020062166.tif 000004
【図３】
2020062166.tif 000005
【図４】
2020062166.tif 000006
【図５】
2020062166.tif 000007
【図６】
2020062166.tif 000008
【図７】
2020062166.tif 000009
【図８】
2020062166.tif 000010
【図９】
2020062166.tif 000011
【図１０】
2020062166.tif 000012